【事件の表示】
　特願２００６−３３９５４３「画像表示方法、画像表示装置および画像表示プログラム」拒絶査定不服審判事件〔平成１９年　５月２４日出願公開、特開２００７−１２９７４８〕について、次のとおり審決する。
【結　論】
　本件審判の請求は、成り立たない。
【理　由】
【第１】経緯
　
［１］手続 
　本願は、平成１５年１２月１０日に出願した特願２００３−４１１８４８号の一部を平成１８年１２月１８日に新たな特許出願としたものであり、手続の概要は以下のとおりである。
　
　手続補正　　　　　　　　　：平成１９年　１月１６日
　拒絶理由通知　　　　　　　：平成２０年１２月　３日（起案日）
　意見書　　　　　　　　　　：平成２１年　２月　６日
　手続補正　　　　　　　　　：平成２１年　２月　６日
　拒絶査定　　　　　　　　　：平成２１年　３月１７日（起案日）
　拒絶査定不服審判請求　　　：平成２１年　４月２１日
　手続補正　　　　　　　　　：平成２１年　５月２０日
　前置審査報告　　　　　　　：平成２１年　７月２８日（起案日）
　審尋　　　　　　　　　　　：平成２２年１０月　５日（起案日）
　回答書　　　　　　　　　　：平成２２年１２月　７日
　
［２］査定 
　原査定の理由は、概略、以下のとおりである。 
　
〈査定の理由〉 
　本願の請求項１〜８に係る各発明は、下記の引用文献１〜３に記載された各発明に基づいて当業者が容易に発明をすることができたものであるから、特許法第２９条第２項の規定により、特許を受けることができない。 
　
　そして、査定には、
　意見書における請求人の主張
　−引用文献１には、「本願の請求項１に係る発明の構成要素「画像を表示する際に重複領域には第１及び第２の部分画像のうちいずれかの部分画像のみが表示されるように、且つ重複領域に表示される第１の部分画像と第２の部分画像との境界である分割位置が所定のタイミングで変化するように、重複領域の画像の少なくとも一部をマスキングするマスクデータを生成するマスクデータ生成ステップ」が開示及び示唆されていないとの請求人の主張−
　について、
　引用文献１は、重複領域であるＴ０部分について、Ａ１とＢ１のいずれか一方のみの部分画像を用いて表示するように制御し、その際、Ｔ０部分の左端又は右端の２点のいずれかを分割位置としてそのタイミングが変化するように制御するものと認められ、
　画像を強制的に無出力又は無表示とする場合に、マスクデータとの論理積を取ることは周知技術であるので、引用文献１に記載された発明から、画像を表示する際に重複領域には第１及び第２の部分画像のうちいずれかの部分画像のみが表示されるように、且つ重複領域に表示される第１の部分画像と第２の部分画像との境界である分割位置が所定のタイミングで変化するように、重複領域の画像の少なくとも一部をマスキングするマスクデータを生成する構成とすることは、当業者にとって格別の困難性がない
　旨、付記されている。
　
　　　　　　　　　記（引用例） 
　引用文献１：特開２００３−００５７３７号公報 
　引用文献２：特開２０００−３３０４９５号公報 
　引用文献３：特開平０７−２９８０７９号公報
　
【第２】補正の却下の決定（本件補正の補正却下）
　
　平成２１年５月２０日付けの手続補正（以下、本件補正という。）について次のとおり決定する。
　
　《結論》 
　平成２１年５月２０日付けの手続補正（本件補正）を却下する。
　
　《理由》 
　                
【第２-１】本件補正の内容
　
　ア　特許請求の範囲の記載（補正前と補正後〉
　本件補正は特許請求の範囲についてする補正を含むところ、本件補正前および本件補正後の特許請求の範囲は、下記のとおりである。（補正部分をアンダーラインで示す。） 
　
　　　　　記（補正前）  
　　【請求項１】
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
　前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　前記画像を表示する際に前記重複領域には前記第１及び第２の部分画像のうちいずれかの部分画像のみが表示されるように、且つ前記重複領域に表示される前記第１の部分画像と前記第２の部分画像との境界である分割位置が所定のタイミングで変化するように、前記重複領域の画像の少なくとも一部をマスキングするマスクデータを生成するマスクデータ生成ステップと、
　前記マスクデータによって前記重複領域の画像の少なくとも一部をマスキングすることにより、前記第１の部分画像及び前記第２の部分画像を生成する画像データマスキング処理ステップと、
　前記データマスキング処理ステップによって生成された前記第１の部分画像及び前記第２の部分画像を表示する画像表示ステップと、
　を有することを特徴とする画像表示方法。
　　【請求項２】
　前記マスクデータ生成ステップの前に、前記第１又は第２の投射表示領域に基づいて画像を分割することにより前記重複領域の画像を含む前記第１及び第２の部分画像を生成する画像分割ステップを有することを特徴とする請求項１記載の画像表示方法。
　　【請求項３】
　前記画像分割ステップは、前記第１及び第２の部分画像を、前記第１又は第２の画像投射手段が表示可能な最大表示領域に応じて生成することを特徴とする請求項２記載の画像表示制御方法。
　　【請求項４】
　前記マスクデータ生成ステップの前に、前記第１及び第２の部分画像に対して画像補正を行う画像補正ステップを有することを特徴とする請求項１から３のいずれかに記載の画像表示方法。
　　【請求項５】
　前記マスクデータは、当該マスクデータによってマスキングされた画像が表示されたときに、前記マスキングされた画像の端辺のうちの少なくとも一辺が非直線形状をなすデータであることを特徴とする請求項１から３のいずれかに記載の画像表示方法。
　　【請求項６】
　前記マスクデータは、乱数パターンを形成するデータであることを特徴とする請求項１から４のいずれかに記載の画像表示方法。
　　【請求項７】
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
　前記第１の画像投射手段によって前記第１の投射表示領域に第１の部分画像を表示し、第２の画像投射手段によって前記第２の投射表示領域に第２の部分画像を表示することにより画像を表示する際に用いる画像表示装置であって、
　前記画像を表示する際に前記重複領域には前記第１及び第２の部分画像のうちいずれかの部分画像のみが表示されるように、且つ前記重複領域に表示される前記第１の部分画像と前記第２の部分画像との境界である分割位置が所定のタイミングで変化するように、前記重複領域の画像の少なくとも一部をマスキングするマスクデータを生成するマスクデータ生成手段と、
　前記マスクデータ生成手段で生成されたマスクデータによって前記重複領域の画像の少なくとも一部をマスキングすることにより、前記第１の部分画像及び前記第２の部分画像を生成する画像データマスキング処理手段と、
　前記データマスキング処理手段によって生成された前記第１の部分画像及び前記第２の部分画像を表示する前記第１及び第２の画像投射手段と、
　を有することを特徴とする画像表示装置。
　　【請求項８】
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
　前記第１の画像投射手段によって前記第１の投射表示領域に第１の部分画像を表示し、第２の画像投射手段によって前記第２の投射表示領域に第２の部分画像を表示することにより画像を表示する際に用いる画像表示制御装置に実行させる画像表示プログラムであって、
　前記画像を表示する際に前記重複領域には前記第１及び第２の部分画像のうちいずれかの部分画像のみが表示されるように、且つ前記重複領域に表示される前記第１の部分画像と前記第２の部分画像との境界である分割位置が所定のタイミングで変化するように、前記重複領域の画像の少なくとも一部をマスキングするマスクデータを生成するマスクデータ生成手順と、
　前記マスクデータ生成ステップで生成されたマスクデータによって前記重複領域の画像の少なくとも一部をマスキングすることにより、前記第１の部分画像及び前記第２の部分画像を生成する画像データマスキング処理手順と、
　前記データマスキング処理手順によって生成された前記第１の部分画像及び前記第２の部分画像を表示する画像表示手順と、
　を画像表示制御装置に実行させる画像表示プログラム。
　
　　　　　　記（補正後）  
　　【請求項１】
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　前記画像を表示する際に前記重複領域には
予め画像補正された
予め画像補正された
　前記マスクデータによって前記重複領域の画像の少なくとも一部をマスキングすることにより、前記第１の部分画像及び前記第２の部分画像を生成する画像データマスキング処理ステップと、
　前記データマスキング処理ステップによって生成された前記第１の部分画像及び前記第２の部分画像を表示する画像表示ステップと、
　を有することを特徴とする画像表示方法。
　　【請求項２】
　前記マスクデータ生成ステップの前に、前記第１又は第２の投射表示領域に基づいて画像を分割することにより前記重複領域の画像を含む前記第１及び第２の部分画像を生成する画像分割ステップを有することを特徴とする請求項１記載の画像表示方法。
　　【請求項３】
　前記画像分割ステップは、前記第１及び第２の部分画像を、前記第１又は第２の画像投射手段が表示可能な最大表示領域に応じて生成することを特徴とする請求項２記載の画像表示制御方法。
　　【請求項４】
　前記マスクデータは、当該マスクデータによってマスキングされた画像が表示されたときに、前記マスキングされた画像の端辺のうちの少なくとも一辺が非直線形状をなすデータであることを特徴とする請求項１から３のいずれかに記載の画像表示方法。
　　【請求項５】
　前記マスクデータは、乱数パターンを形成するデータであることを特徴とする請求項１から４のいずれかに記載の画像表示方法。
　　【請求項６】
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、第２の画像投射手段によって前記第２の投射表示領域に第２の部分画像を表示することにより画像を表示する際に用いる画像表示装置であって、
　前記画像を表示する際に前記重複領域には
予め画像補正された
予め画像補正された
　前記マスクデータ生成手段で生成されたマスクデータによって前記重複領域の画像の少なくとも一部をマスキングすることにより、前記第１の部分画像及び前記第２の部分画像を生成する画像データマスキング処理手段と、
　前記データマスキング処理手段によって生成された前記第１の部分画像及び前記第２の部分画像を表示する前記第１及び第２の画像投射手段と、
　を有することを特徴とする画像表示装置。 
　　【請求項７】
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、第２の画像投射手段によって前記第２の投射表示領域に第２の部分画像を表示することにより画像を表示する際に用いる画像表示制御装置に実行させる画像表示プログラムであって、
　前記画像を表示する際に前記重複領域には
予め画像補正された
予め画像補正された
　前記マスクデータ生成ステップで生成されたマスクデータによって前記重複領域の画像の少なくとも一部をマスキングすることにより、前記第１の部分画像及び前記第２の部分画像を生成する画像データマスキング処理手順と、
　前記データマスキング処理手順によって生成された前記第１の部分画像及び前記第２の部分画像を表示する画像表示手順と、
　を画像表示制御装置に実行させる画像表示プログラム。
　
　イ　新請求項１（本件補正後の請求項１）とする補正
　本件補正は、新請求項１（補正後請求項１）とする補正を含むところ、
　当該「新請求項１とする補正」は、
　旧請求項１（補正前請求項１）記載の
　「前記第１及び第２の部分画像のうち」を、「
予め画像補正された
　「前記重複領域に表示される前記第１の部分画像と前記第２の部分画像」を、「前記重複領域に表示される
予め画像補正された
　
【第２-２】本件補正の適合性１　補正の範囲（第１７条の２第３項）
　上記「新請求項１とする補正」は、請求人が審判請求書で説明するとおり、願書に最初に添付した明細書の、〔実施の形態２〕についての段落【0076】の記載を根拠とするものと認められ、
　したがって、願書に最初に添付した明細書、特許請求の範囲又は図面に記載した事項の範囲内においてする補正であるといえ、特許法第１７条の２第３項の規定に適合する。
　
【第２-３】本件補正の適合性２　補正の目的（第１７条の２第４項）
　上記「新請求項１とする補正」は、旧請求項１に記載のあった特定事項である「前記第１及び第２の部分画像」及び「前記重複領域に表示される前記第１の部分画像と前記第２の部分画像」を限定するものであり、
　補正の前後において、産業上の利用分野及び解決しようとする課題は同一である。
　したがって、平成１４年法律第２４号改正附則第３条第１項によりなお従前の例によるとされる同法による改正前の特許法第１７条の２第４項２号で規定する特許請求の範囲の減縮を目的とする補正に該当する。
　
　なお、新請求項１は、旧請求項４（旧請求項４は本件補正で削除されている。）で特定記載していた「前記マスクデータ生成ステップの前に、前記第１及び第２の部分画像に対して画像補正を行う画像補正ステップ」を含んでいないから、
　上記「新請求項１とする補正」が、旧請求項１の削除に伴い、旧請求項１を引用する旧請求項４（の部分）を新請求項１と繰り上げた補正であるとすることはできない。
　
【第２-４】本件補正の適合性３　独立特許要件（第１７条の２第５項）
　上記の通り、上記「新請求項１とする補正」は特許請求の範囲の減縮を目的とする補正であるから、独立特許要件を検討することを要するものである。
　そこで、独立特許要件について検討するに、新請求項１（補正後請求項１）に記載される発明は特許出願の際独立して特許を受けることができない。　したがって、上記「新請求項１とする補正」を含む本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　新請求項１に記載される発明が特許出願の際独立して特許を受けることができないとする理由の詳細は、以下のとおりである。 
　
　《理由：独立特許要件に適合しない理由の詳細》
　
［１］補正後発明 
　
　本件補正後の請求項１（新請求項１）の記載は、【第２-１】アの記（補正後）の【請求項１】記載のとおりであるが、
　その「変化するように、前記
重複領
重複領
　従って、本件補正後の請求項１に記載された発明（以下「補正後発明」という。）は、
　「第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　前記画像を表示する際に前記重複領域には
予め画像補正された
予め画像補正された
　前記マスクデータによって前記重複領域の画像の少なくとも一部をマスキングすることにより、前記第１の部分画像及び前記第２の部分画像を生成する画像データマスキング処理ステップと、
　前記データマスキング処理ステップによって生成された前記第１の部分画像及び前記第２の部分画像を表示する画像表示ステップと、
　を有することを特徴とする画像表示方法。」
　と認められる。
　
　当該「補正後発明」は、下記のように、
　前提および全体を特定する画像表示方法（Ａ）、マスクデータ生成ステップ（Ｂ）、画像データマスキング処理ステップ（Ｃ）、画像表示ステップ（Ｄ）、とに分説することができる。
　
　　　　　補正後発明（分説）
　Ａ：第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　Ｂ：前記画像を表示する際に前記重複領域には
予め画像補正された
予め画像補正された
　Ｃ：前記マスクデータによって前記重複領域の画像の少なくとも一部をマスキングすることにより、前記第１の部分画像及び前記第２の部分画像を生成する画像データマスキング処理ステップと、
　Ｄ：前記データマスキング処理ステップによって生成された前記第１の部分画像及び前記第２の部分画像を表示する画像表示ステップと、
　Ａ：を有することを特徴とする画像表示方法。
　
　
［２］刊行物の記載 
　
　刊行物１：特開２００３−００５７３７号公報 （先の「引用文献１」に同じ。以下「刊行物１」という。）には、以下の記載（下線は、注目箇所を示すために当審で施したものである。）が認められる。
　
　〈特許請求の範囲、請求項１・３〉
　(K1)「【請求項１】  
１つのスクリーン上に連続した複数の表示エリアを形成し、各表示エリアに複数の入力映像データに基づく映像をそれぞれ表示する映像表示装置
前記各表示エリアに表示する前記複数の入力映像データを取り込んで記憶する複数のメモリ手段と、
前記複数のメモリ手段から読み出された映像データを処理して該当する表示エリアの映像出力とする映像表示出力手段と、
前記複数のメモリ手段への前記映像データの書き込み及び記憶された前記映像データの読み出しを制御するメモリ制御手段と、
前記複数の表示エリアの互いに隣接する部分に映像を重ね合わせて表示するためのタイミング位相信号を生成する位相制御手段と、
前記メモリ制御手段による映像データの読み出しタイミングを前記タイミング位相信号に基づいて制御し、前記各表示エリアに供給される映像データのうち、
前記重ね合わせ部分に対応するそれぞれの映像データを映像表示周期毎に交互に反転した状態で出力する
を具備したことを特徴とする映像表示装置。」
【請求項２】略
【請求項３】  前記表示タイミング制御手段は、前記
重ね合わせ部分に対応するそれぞれの映像データをフィールド毎に交互に反転した状態で出力するように前記メモリ制御手段による読み出しを制御す
【請求項４】略
【請求項５】  複数の映像データの前記重ね合わせ部分のライン毎またはフィールド毎の交互の反転位相の関係を、複数の映像データ間で位相的に逆転関係となるように切り替え可能としたことを特徴とする請求項３記載の映像表示装置。
【請求項６】  
１つのスクリーン上に連続した複数の表示エリアを形成し、各表示エリアに複数の入力映像データに基づく映像をそれぞれ表示出力する
前記各表示エリアに表示する前記複数の入力映像データを取り込んで複数のメモリ手段に記憶し、前記複数の表示エリアの互いに隣接する部分に映像を重ね合わせて表示する際に、前記各表示エリアに供給される映像データのうち、前記
重ね合わせ部分に対応するそれぞれの映像データを映像表示周期毎に交互に反転した状態で前記メモリ手段から読み出して表示出力する
　
　〈発明の属する技術分野〉
　(K2)「【０００１】
【発明の属する技術分野】本発明は、複数に分割された映像画面を１つの映像画面として表示を行う場合に、複数に分割された映像画面間をスムーズにつなぐために隣接する映像の映像信号間にオーバーラップ処理を行う映像表示装置及び映像表示方法に関する。」
　
　〈従来の技術、図５・６のもの、図７〜９のもの〉
　(K3)「【０００３】大型画面を有する映像表示装置には、
複数の表示デバイスとして、例えばプロジェクタを複数台用いてなる投射型の表示装置
【０００４】このような映像表示装置は、複数の画面で構成された１の大画面に１つの大型映像を表示することが可能であり、勿論複数の画面にそれぞれ異なる映像を表示することも可能である。
【０００５】略
【０００６】ところで、このような
複数の表示デバイスを用いて１つの映像画面の表示を行う多画面表示システム
【０００７】
図５は複数の画面の表示エリアの内、２つの画面の表示エリアにそれぞれの入力映像信号に基づく映像表示を行った場合の画面表示の一例を示している
【０００８】図５（ａ）は左右の映像画面の境界部分が重ならないように、図示しない各メモリ手段からそれぞれの映像データが読み出された後、これら読み出された映像データを図示しない各映像表示出力部に出力し、
プロジェクタ１２，１３から１つのスクリーン１１上へと出力している
【０００９】図６は図５に示した複数画面構成時の映像信号を示している。図６（ａ），（ｂ）は各々の画面に供給する映像信号で、図６（ｃ）は図６（ａ），（ｂ）を合成した場合の映像信号を示したものである。
【００１０】この様に各々の映像画面を境界部分に重なりなく連続配置した場合では矢印Ｔで示す信号の切り替わり目部を、実際の映像を見た時に不連続な映像の境界線として視覚的に感じてしまうという問題があった。
【００１１】次に、
図７は複数の画面の表示エリアの内、２つの画面の表示エリアにそれぞれの入力映像信号に基づく映像表示を行った場合の画面表示
【００１２】
図７（ａ）では前述の図５と同じ２画面の表示エリアで構成された表示画面の各々隣接する部分を重ね合わせた状態を示している
【００１３】図７（ｂ）で示すように１つのスクリーン１１上に各映像画面Ａ，Ｂが隣接部分で重ね合わされている。
【００１４】図８は図７に示した隣接部分の重ね合わせを行った場合の複数画面構成時の映像信号を示している。
【００１５】図８（ａ），（ｂ）は各々の画面に供給する映像信号で、図８（ｃ）は図８（ａ），（ｂ）を重ね合わせた場合の映像信号を示したものである。
【００１６】ここで分かる様に
画面隣接部の重ね合わせた部分（２つの矢印ｔ1，ｔ２の期間Ｔ0で示す部分）
【００１７】図９（ａ），（ｂ）は、前記の重ね合わせた部分の輝度の上昇を防止するために、各々の映像画面に供給する映像信号の重ね合わせ部分のレベルを１／２の輝度に変調したものを示している。図９（ｃ）はこの両者の信号を重ね合わせた場合の映像信号を示している。２つの矢印ｔ1，ｔ２の期間Ｔ0で示す部分の映像信号は平坦となっている。
【００１８】しかしながら、この様に１／２の輝度変調を行った場合においても矢印ｔ1，ｔ２で示す信号の切り替わり目部を、実際の映像を見た時に不連続な映像の境界線として視覚的に感じてしまうという問題があった。」
　
　〈発明が解決しようとする課題、目的〉
　(K4)「【００２０】
【発明が解決しようとする課題】以上のように、従来は、映像信号の画像表示を連続した複数の表示エリアにより構成された映像表示システムにおいて行う場合、隣接した表示画面の境界部分では映像の不連続により継ぎ目が目立つことがあった。
【００２１】そこで、本発明では、上述の事情に鑑みてなされたもので、
複数の表示デバイスを用いて１つの映像画面の表示を行う多画面表示において、複数の画面の隣接した部分をお互いに重ね合わせる際に、境界部分の映像表示が不連続になることなくスムーズに表示を行い、境界部分の継ぎ目が目立つことを軽減させ、表示性能の向上を図ることができ、しかも処理的にも簡単な映像表示装置及び映像表示方法を提供することを目的としている
　
　〈課題を解決するための手段・特徴〉
　(K5)「【００２２】
【課題を解決するための手段】請求項１の発明は、１つのスクリーン上に連続した複数の表示エリアを形成し、各表示エリアに複数の入力映像データに基づく映像をそれぞれ表示する映像表示装置において、前記各表示エリアに表示する前記複数の入力映像データを取り込んで記憶する複数のメモリ手段と、前記複数のメモリ手段から読み出された映像データを処理して該当する表示エリアの映像出力とする映像表示出力手段と、前記複数のメモリ手段への前記映像データの書き込み及び記憶された前記映像データの読み出しを制御するメモリ制御手段と、前記複数の表示エリアの互いに隣接する部分に映像を重ね合わせて表示するためのタイミング位相信号を生成する位相制御手段と、前記メモリ制御手段による映像データの読み出しタイミングを前記タイミング位相信号に基づいて制御し、
前記各表示エリアに供給される映像データのうち、前記重ね合わせ部分に対応するそれぞれの映像データを映像表示周期毎に交互に反転した状態で出力する
【００２３】前記表示タイミング制御手段は、前記重ね合わせ部分に対応するそれぞれの映像データをライン毎又はフィールド毎に交互に反転した状態で出力するように前記メモリ制御手段による読み出しを制御する。
【００２４】また、複数の映像データの前記重ね合わせ部分のライン毎またはフィールド毎の交互の反転位相の関係を、複数の映像データ間で位相的に逆転関係となるように切り替え可能としてもよい。
【００２５】本発明の映像表示装置によれば、連続した複数の画面表示エリアの内、隣接する部分には映像が重ね合わさって表示されることになるが、
重ね合わせ部分に対応するそれぞれの映像データを映像表示周期
フィールド
毎に交互に反転した状態で出力する
ね合わせ部分の映像が一方の
フィールドによる交互の表示となり違和感を軽減することができる。
【００２６】請求項６の発明は、１つのスクリーン上に連続した複数の表示エリアを形成し、各表示エリアに複数の入力映像データに基づく映像をそれぞれ表示出力する映像表示方法において、前記各表示エリアに表示する前記複数の入力映像データを取り込んで複数のメモリ手段に記憶し、前記複数の表示エリアの互いに隣接する部分に映像を重ね合わせて表示する際に、
前記各表示エリアに供給される映像データのうち、前記重ね合わせ部分に対応するそれぞれの映像データを映像表示周期毎に交互に反転した状態で前記メモリ手段から読み出して表示出力する
　
　〈発明の実施の形態〉
　(K6)《図１、スクリーン画面、プロジェクタ、画面Ａ映像記憶メモリ２ａ、画面Ｂ映像記憶メモリ２ｂ》
　「【００２７】
【発明の実施の形態】発明の実施の形態について図面を参照して説明する。図１は本発明の一実施の形態の映像表示装置を示すブロック図である。
【００２８】本発明の実施の形態では、
１つのスクリーン画面の左右に連続して配置された２つの表示エリアにそれぞれ２つの映像データを表示する際に、２つの映像画面Ａ，Ｂの互に隣接する部分を重ね合わせて表示（オーバーラップ表示）する
【００２９】図１において、入力端子１ａ，１ｂには、図示しない２つの映像データ発生手段から画面Ａ映像データと画面Ｂ映像データがそれぞれ入力されるようになっている。
このＡ，Ｂ２つの映像データは１つの映像画面を構成する映像データからそれぞれ切り出された映像データであって、隣接部分をオーバーラップさせて合成したときに１つの映像画面を形成できるように重なり部分は互に同じ絵柄となるように１つの映像画面を構成する映像データから切り出されている
【００３０】入力端子１ａを介して入力された画面Ａ映像データは、
画面Ａ映像記憶メモリ２ａ
画面Ｂ映像記憶メモリ２ｂ
【００３１】多画面表示時には、前記の画面Ａ映像記憶メモリ２ａ，画面Ｂ映像記憶メモリ２ｂから、本実施の形態の特徴となる制御手段による読み出し制御でそれぞれ画面Ａ，画面Ｂの映像データが読み出された後、
それぞれ画面Ａ，画面Ｂの映像表示出力部６ａ，６ｂに供給されることによって、図示しない表示デバイス例えばプロジェクタのドライブ回路に与える画面Ａ，画面Ｂの映像出力信号７ａ，７ｂが生成され、映像表示がなされる
　
　(K7)《画面Ａ表示タイミング制御部４ａ，画面Ｂ表示タイミング制御部４ｂ、タイミング位相制御部５》
　「【００３２】このように読み出し制御を行う制御手段は、図１に示すように
画面Ａメモリ制御部３ａ
画面Ｂメモリ制御部３ｂ
画面Ａ表示タイミング制御部４ａ
画面Ｂ表示タイミング制御部４ｂ
タイミング位相制御部５
【００３３】画面Ａメモリ制御部３ａは、後述する画面Ａ表示タイミング制御部４ａからの
表示タイミング信号に基づいて前記画面Ａ映像記憶メモリ２ａからの画面Ａ映像データの読み出しを制御する
表示タイミング信号に基づいて画面Ｂ映像記憶メモリ２ｂからの画面Ｂ映像データの読み出しを制御する
【００３４】画面Ａ表示タイミング制御部４ａは、タイミング位相制御部５からの位相タイミング信号に基づき、前記
表示タイミング信号を生成し、該表示タイミング信号を画面Ａメモリ制御部３ａに与える
表示タイミング信号を生成し、該表示タイミング信号を画面Ｂメモリ制御部３ｂに与える
【００３５】タイミング位相制御部５には、図示しないが、画面Ａ映像データ及び画面Ｂ映像データから抽出されたそれぞれの同期信号が供給されており、これらの同期信号から例えば２画面表示するのに必要な位相タイミング信号を生成し、上記画面Ａ及び画面Ｂの各表示タイミング制御部４ａ，４ｂに供給するようになっている。
【００３６】本実施の形態の映像表示装置におけるオーバーラップ表示処理では、例えば２つの連続して配置される画面の表示エリアに映像表示を行う場合に、この隣接画面の境界部分の継ぎ目が目立つことを軽減させて映像表示をスムーズにするために、隣り合った画面映像をお互いに重ね合わせ、
その重ね合わせ部分に対応するそれぞれの映像データを映像表示周期毎
フィールド毎）で交互に反転した状態（例えば表示と無表示とを交互に繰り返す状態）で出力するように、上記画面Ａ表示タイミング制御部４ａ及び画面Ｂ表示タイミング制御部４ｂによって表示タイミング制御を行う
　
　(K8)《
フィールド毎の交互反転による表示処理方法
　「【００４５】なお、上述した表示タイミング方法では、映像の重ね合わせる部分に相当する期間Ｔ０において、表示タイミング位相がライン毎に交互に反転するように説明したが、このライン毎の交互反転に代えて、表示タイミング位相がフィールド毎に交互に反転するようにタイミング制御を行っても良い。
【００４６】図３は図２で示した重ね合わせ部におけるライン毎の交互反転の位相制御に代えて、
フィールド毎の交互反転による表示処理方法
は１つのブロックがフィールド（面）を表している
【００４７】
図３
図２（ａ）に示す画面Ａ信号におけるフィールドＡ1がＴ０の期間、輝度レベルが非反転状態（即ち表示状態）であるのに対し、続くフィールドＡ2がＴ０の期間、輝度レベルが反転状態（即ち無表示状態）となり、同様にして、フィールドＡ3では、Ｔ０の期間、輝度レベルが非反転状態（即ち表示状態）となるように、即ち期間Ｔ０内においてフィールド毎に表示と無表示を交互に繰り返すような表示タイミング信号を生成し、画面Ａメモリ制御部３ａに与える
【００４８】また、これに同期して、
画面Ｂ表示タイミング制御部４ｂは、タイミング位相制御部５からのタイミング位相信号に基づき、重ね合わせ部分の期間Ｔ０において、図３（ｂ）に示す画面Ｂ信号におけるフィールドＢ1がＴ０の期間、輝度レベルが反転状態（即ち無表示状態）であるのに対し、続くフィールドＢ2がＴ０の期間、輝度レベルが非反転状態（即ち表示状態）となり、同様にして、フィールドＢ3では、フィールドＢ3がＴ０の期間、輝度レベルが反転状態（即ち無表示状態）となるように、即ち期間Ｔ０内においてフィールド毎に無表示と表示を交互に繰り返すような表示タイミング信号を生成し、画面Ｂメモリ制御部３ｂに与える
【００４９】つまり、
画面Ａ及び画面Ｂの表示タイミング制御部４ａ，４ｂは、画面Ａ映像データと画面Ｂ映像データとのそれぞれの表示映像が重なる部分（Ｔ０期間内）において、画面Ａ映像データと画面Ｂ映像データとが互いにフィールド毎に表示と無表示とを交互に繰り返すような表示タイミング制御を行う
【００５０】また、表示タイミング信号の反転位相のタイミング設定（例えば期間Ｔ０の設定）などの制御については、前記タイミング位相制御部５にて管理されるようになっており、反転位相タイミングを設定変更できる。
【００５１】このように生成された
表示タイミング信号は、それぞれ対応する画面Ａメモリ制御部３ａ及び画面Ｂメモリ制御部３ｂに供給され、これに応答してこれら画面Ａメモリ制御部３ａ及び画面Ｂメモリ制御部３ｂは、図３に示す表示タイミングで映像表示を行うために、供給された表示タイミング信号に基づきそれぞれの画面Ａ映像記憶メモリ２ａ，画面Ｂ映像記憶メモリ２Ｂから各画面Ａ映像データ，画面Ｂ映像データの読み出しを制御する
【００５２】このような表示タイミングに基づき読み出された各映像データは、
画面Ａ及び画面Ｂのそれぞれの映像表示出力部６ａ，６ｂによって、表示するための信号処理が施された後、出力端子７ａ，７ｂを介して対応するプロジェクタ等のドライブ回路へと供給されることで映像表示が行われる
【００５３】これにより、フィールド毎の位相反転の場合にも、実際にこれらの映像信号の多画面表示時には、映像信号の重ね合わせた場合に生じる重ね合わせ部分の輝度が重なることもなく、画像の重ね合わせた部分とそれ以外の部分との輝度差が生じることなく一定した輝度で映像表示することができる。また、２つの映像データの重ね合わせ部分において各映像データ間でフィールド毎に交互に位相反転して表示しているので、従来の輝度変調処理した映像データ同士を重ね合せる方法に比べて、継ぎ目部分が目立ちにくい利点を有している。
【００５４】なお、図３のフィールド毎のタイミング位相に代えて、図４に示すように重ね合わせる両者の映像信号の出力の反転切り替えの位相を映像データ間で逆転させたものに設定してもよい。このようなタイミング位相の切り替えは、タイミング位相制御部５からのフィールド毎のタイミング位相信号に基づき、画面Ａ表示タイミング制御部４ａ，画面Ｂ表示タイミング制御部４ｂがそれぞれの表示タイミング信号を用いて画面Ａメモリ制御部３ａ，画面Ｂメモリ制御部３ｂの読み出しを制御することによって行うことができる。（以下略）」
　
［３］刊行物記載発明（刊行物１に記載された発明、以下、「引用発明」という。）
　
　（１）刊行物１概要、引用発明認定の基礎　
　刊行物１には、
　前掲(K2)「複数に分割された映像画面を１つの映像画面として表示を行う場合に、複数に分割された映像画面間をスムーズにつなぐために隣接する映像の映像信号間にオーバーラップ処理を行う映像表示」の技術分野に関し、
　前掲(K3)の従来技術を前提にその課題を解決し、前掲(K4)「複数の表示デバイスを用いて１つの映像画面の表示を行う多画面表示において、複数の画面の隣接した部分をお互いに重ね合わせる際に、境界部分の映像表示が不連続になることなくスムーズに表示を行い、境界部分の継ぎ目が目立つことを軽減させ、表示性能の向上を図ることができ」る「映像表示」を提供することを課題・目的とするものであって（→引用発明のＰ）、
　概要、
　課題を解決するための手段・特徴として、前掲(K5)(K1)のもの、特に、「重ね合わせ部分に対応するそれぞれの映像データを
フィールド毎に交互に反転した
　こららのもの、及びこれらに対応する図１、図３図４記載の〔実施の形態〕のもの、に注目する。
　
　これらのものは、従来技術（図５〜図９）、特に前掲(K3)の図７〜９記載の従来技術を前提とするものであって、「
画面隣接部の重ね合わせた部分（２つの矢印ｔ1，ｔ２の期間Ｔ０で示す部分
　「
重ね合わせ部分に対応するそれぞれの映像データを映像表示周期毎に交互に反転した状態で出力する
重ね合わせ部分に対応するそれぞれの映像データを映像表示周期毎に交互に反転した状態で前記メモリ手段から読み出して表示出力する
　
　（２）前提構成−複数のプロジェクタ、スクリーン、表示エリア、入力映像データの記憶、読み出し表示｛(K1)(K5)(K3)(K6)，図１｝
　 「１つのスクリーン上に連続した複数の表示エリアを形成し、各表示エリアに複数の入力映像データに基づく映像をそれぞれ表示する」｛(K1)請求項１・６、(K5)｝もので、
　「各表示エリアに表示する前記複数の入力映像データを取り込んで複数のメモリ手段に記憶し、前記複数の表示エリアの互いに隣接する部分に映像を重ね合わせて表示する」｛(K1)請求項６、(K5)｝ものである。
　前掲(K3)(K6)図７〜図９によれば、１つのスクリーン１１上に、プロジェクタ１２により投射される表示エリア（映像画面Ａ（図７））と、プロジェクタ１３により投射される表示エリア（映像画面Ｂ（図７））が、隣接部分で重ね合わせ部分Ｔ０が存在するように左右に配置される。
　「各表示エリアに表示する前記複数の入力映像データ」である、画面Ａ映像データと画面Ｂ映像データは、「
１つの映像画面を構成する映像データからそれぞれ切り出された映像データであって、隣接部分をオーバーラップさせて合成したときに１つの映像画面を形成できるように重なり部分は互に同じ絵柄となるように１つの映像画面を構成する映像データから切り出されている
　それら、入力映像データは、
画面Ａ映像記憶メモリ２ａ
画面Ｂ映像記憶メモリ２ｂ
　すなわち、
画面Ａ映像記憶メモリ２ａに記憶されている画面Ａ映像データも、画面Ｂ映像記憶メモリ２ｂに記憶されている画面Ｂ映像データも、同じ重なり部分を有しているデータ
　そして、
画面Ａ映像記憶メモリ２ａ
画面Ｂ映像記憶メモリ２ｂ
画面Ａ，画面Ｂの映像出力信号７ａ，７ｂが生成され
　以上、まとめれば、
　１つのスクリーン上に連続した複数の表示エリア−プロジェクタ１２により投射される表示エリア（映像画面Ａ（図７））とプロジェクタ１３により投射される表示エリア（映像画面Ｂ（図７））が、隣接部分で重ね合わせ部分Ｔ０が存在するように左右に配置されるように形成し、
　
１つの映像画面を構成する映像データからそれぞれ切り出された映像データであって、隣接部分をオーバーラップさせて合成したときに１つの映像画面を形成できるように重なり部分は互に同じ絵柄となるように１つの映像画面を構成する映像データから切り出されている
同じ重なり部分を有している
画面Ａ映像データ
画面Ｂ映像データ
画面Ａ映像記憶メモリ２ａ
画面Ｂ映像記憶メモリ２ｂ
　画面Ａ映像記憶メモリ２ａ、画面Ｂ映像記憶メモリ２ｂから、それぞれ画面Ａ映像データ，画面Ｂ映像データが読み出されて、画面Ａ，画面Ｂの映像出力信号７ａ，７ｂが生成され、プロジェクタのドライブ回路に与えて映像表示がなされる表示方法、ということができる。　　（→引用発明のＱ）
　
　（３）表示タイミング信号に基づく
画面Ａ映像記憶メモリ２ａ
画面Ｂ映像記憶メモリ２ｂ
　｛(K1)(K5)(K7)(K8)，図３図４｝
　
　〈読み出し、表示タイミング制御〉
　「複数のメモリ手段への前記映像データの書き込み及び記憶された前記映像データの読み出しを制御するメモリ制御手段と、
前記複数の表示エリアの互いに隣接する部分に映像を重ね合わせて表示するためのタイミング位相信号を生成する位相制御手段と、
前記メモリ制御手段による映像データの読み出しタイミングを前記タイミング位相信号に基づいて制御し、前記各表示エリアに供給される映像データのうち、
前記重ね合わせ部分に対応するそれぞれの映像データを映像表示周期毎に交互に反転した状態で出力する
　「前記表示タイミング制御手段は、前記
重ね合わせ部分に対応するそれぞれの映像データをフィールド毎に交互に反転した状態で出力するように前記メモリ制御手段による読み出しを制御す
　「前記複数の表示エリアの互いに隣接する部分に映像を重ね合わせて表示する際に、前記各表示エリアに供給される映像データのうち、前記
重ね合わせ部分に対応するそれぞれの映像データを映像表示周期毎に交互に反転した状態で前記メモリ手段から読み出して
　このことに関する、
　前記(K7)段落【0033】「画面Ａ表示タイミング制御部４ａからの
表示タイミング信号
基づいて前記画面Ａ映像記憶メモリ２ａからの画面Ａ映像データの読み出しを制御する
表示タイミング信号
基づいて画面Ｂ映像記憶メモリ２ｂからの画面Ｂ映像データの読み出しを制御する
　前掲(K7)段落【0034】「画面Ａ表示タイミング制御部４ａは、タイミング位相制御部５からの位相タイミング信号に基づき、前記
表示タイミング信号を生成し、該表示タイミング信号を画面Ａメモリ制御部３ａに与える
表示タイミング信号を生成し、該表示タイミング信号を画面Ｂメモリ制御部３ｂに与える
　前掲(K8)段落【0051】「このように生成された
表示タイミング信号は、
供給された表示タイミング信号に基づきそれぞれの画面Ａ映像記憶メモリ２ａ，画面Ｂ映像記憶メモリ２Ｂから各画面Ａ映像データ，画面Ｂ映像データの読み出しを制御する
　前掲(K7)段落【0036】「この隣接画面の境界部分の継ぎ目が目立つことを軽減させて映像表示をスムーズにするために、隣り合った画面映像をお互いに重ね合わせ、
その重ね合わせ部分に対応するそれぞれの映像データを映像表示周期毎
フィールド毎）で交互に反転した状態（例えば表示と無表示とを交互に繰り返す状態）で出力するように
て表示タイミング制御を行う
　によれば、
　・（表示タイミング制御部４ａ，４ｂは、）画面Ａ映像記憶メモリ２ａ用と画面Ｂ映像記憶メモリ２ｂ用の表示タイミング信号を生成する。
　・（メモリ制御部３ａ，３ｂは、）それぞれ用の表示タイミング信号に基づいて、画面Ａ映像記憶メモリ２ａから画面Ａ映像データを読み出すと共に、画面Ｂ映像記憶メモリ２ｂから画面Ｂ映像データを読み出す表示タイミング制御を行う。
　・表示タイミング制御によって、「
重ね合わせ部分に対応する画面Ａ映像データと画面Ｂ映像データ
表示と無表示とを交互に繰り返す状態で出力
　「
画面Ａ映像データと画面Ｂ映像データとのそれぞれの表示映像が重なる部分（Ｔ０期間内）において、画面Ａ映像データと画面Ｂ映像データとが互いにフィールド毎に表示と無表示とを交互に繰り返す
　ものである。
　
　まとめれば、
　［1］画面Ａ映像記憶メモリ２ａ用と画面Ｂ映像記憶メモリ２ｂ用の表示タイミング信号を生成し、
　［2］それぞれ用の表示タイミング信号に基づいて、画面Ａ映像記憶メモリ２ａから画面Ａ映像データを読み出すと共に、画面Ｂ映像記憶メモリ２ｂから画面Ｂ映像データを読み出す表示タイミング制御を行って、
重ね合わせ部分に対応する画面Ａ映像データと画面Ｂ映像データ
表示と無表示とを交互に繰り返す状態で出力
　［3］画面Ａ映像データと画面Ｂ映像データとのそれぞれの表示映像が重なる部分（Ｔ０期間内）において、画面Ａ映像データと画面Ｂ映像データとが互いにフィールド毎に表示と無表示とを交互に繰り返すように表示出力される。　　　　　　　　　　　　　　　　　　　　（→引用発明のＲ）
　
　〈読み出し（表示タイミング制御）と、スクリーン表示の具体的態様｛(K8)、図３｝〉
　そして上記［2］の読み出し・表示タイミング制御と、これによる上記［3］の画面Ａ、画面Ｂのスクリーン表示の具体的態様について、前掲(K8)、特に段落【0047】〜段落【0052】、図３に説明されていて、
　これらによれば、
　(i)最初の映像表示周期（フィールド）では、
　画面Ａ映像データは、画面Ａ映像記憶メモリ２ａからの（表示タイミング信号に基づく）読み出しにより、
重ね合わせ部分Ｔ０に対応する画面データ部分を表示状態
輝度レベルが非反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を無表示状態
輝度レベルが反転状態
　重
ね合わせ部分Ｔ０を含む画面Ａ
重ね合わせ部分Ｔ０を含まない画面Ｂ
　このとき、（重ね合わせ部分Ｔ０に対応する画面データ部分を含んだ画面Ａ映像データが記憶されている）
画面Ａ映像記憶メモリ２ａからは、
重ね合わせ部分Ｔ０
を含んだ画面Ａ映像データ
　（同じく、重ね合わせ部分Ｔ０に対応する画面データ部分を含んだ画面Ｂ映像データが記憶されている）
画面Ｂ映像記憶メモリ２ｂからは、
重ね合わせ部分Ｔ０
を読み出さず
　『
重ね合わせ部分Ｔ０
を含まない画面Ｂ映像データのみを読み出す
　すなわち、
画面Ｂ映像記憶メモリ２ｂ
らは、
重ね合わせ部分Ｔ０
切り捨て
重ね合わせ部分Ｔ０
を含まない画面Ｂ映像データのみを切り出し
切り出された
切り出し
　
　まとめれば、
　最初の映像表示周期（フィールド）では、
　(i-2)画面Ａ映像データは、画面Ａ映像記憶メモリ２ａからの（表示タイミング信号に基づく）読み出しにより、
重ね合わせ部分Ｔ０に対応する画面データ部分を表示状態
輝度レベルが非反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を無表示状態
輝度レベルが反転状態
　（重ね合わせ部分Ｔ０に対応する画面データ部分を含んだ画面Ａ映像データが記憶されている）
画面Ａ映像記憶メモリ２ａからは
　『
重ね合わせ部分Ｔ０
を含んだ画面Ａ映像データ
　（同じく、重ね合わせ部分Ｔ０に対応する画面データ部分を含んだ画面Ｂ映像データが記憶されている）
画面Ｂ映像記憶メモリ２ｂからは
　『
重ね合わせ部分Ｔ０
を読み出さず切り捨て
重ね合わせ部分Ｔ０
を含まない画面Ｂ映像データのみを読み出し・切り出して
抽出して
出力し
　(i-3)
重ね合わせ部分Ｔ０を含む画面Ａ
重ね合わせ部分Ｔ０を含まない画面Ｂ
　
　(ii)次の映像表示周期（フィールド）では、上記(i)とは逆になる。
　すなわち、
　(ii-2)画面Ａ映像データは、画面Ａ映像記憶メモリ２ａからの（表示タイミング信号に基づく）読み出しにより、
重ね合わせ部分Ｔ０に対応する画面データ部分を無表示状態
輝度レベルが反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を表示状態
輝度レベルが非反転状態
　画面Ａ映像データが記憶されている
画面Ａ映像記憶メモリ２ａからは
　『
重ね合わせ部分Ｔ０
を読み出さず切り捨て
重ね合わせ部分Ｔ０
を含まない画面Ａ映像データのみを読み出し・切り出して
抽出して
出力する
　画面Ｂ映像データが記憶されている
画面Ｂ映像記憶メモリ２ｂからは
　『
重ね合わせ部分Ｔ０
を含んだ画面Ｂ映像データ
　(ii-3)
重ね合わせ部分Ｔ０を含まない画面Ａ
重ね合わせ部分Ｔ０を含む画面Ｂ
　
　そして上記(i)（ii)を繰り返すようにして映像を表示する。
　　　　　　　　　　　　　　　　　　　　　　　　（→引用発明のｒ）
　　　　　　　　　　　　　　　　　　　　　　
　（５）刊行物記載発明（引用発明）
　以上によれば、引用発明として、下記の発明を認定することができる。  
　
　　　　　　　　記（引用発明）
　Ｐ：複数に分割された映像画面を１つの映像画面として表示を行う場合に、複数に分割された映像画面間をスムーズにつなぐために隣接する映像の映像信号間にオーバーラップ処理を行う映像表示装置及び映像表示に関し、
　複数の表示デバイスを用いて１つの映像画面の表示を行う多画面表示において、複数の画面の隣接した部分をお互いに重ね合わせる際に、境界部分の映像表示が不連続になることなくスムーズに表示を行い、境界部分の継ぎ目が目立つことを軽減させ、表示性能の向上を図ることができる映像表示を提供することを課題・目的とするものであって、
　Ｑ：１つのスクリーン上に連続した複数の表示エリア−プロジェクタ１２により投射される表示エリア（映像画面Ａ（図７））とプロジェクタ１３により投射される表示エリア（映像画面Ｂ（図７））が、隣接部分で重ね合わせ部分Ｔ０が存在するように左右に配置されるように形成し、
　１つの映像画面を構成する映像データからそれぞれ切り出された映像データであって、隣接部分をオーバーラップさせて合成したときに１つの映像画面を形成できるように重なり部分は互に同じ絵柄となるように１つの映像画面を構成する映像データから切り出されている入力映像データであって、同じ重なり部分を有している入力映像データである
画面Ａ映像データ
画面Ｂ映像データ
画面Ａ映像記憶メモリ２ａ
画面Ｂ映像記憶メモリ２ｂ
　画面Ａ映像記憶メモリ２ａ、画面Ｂ映像記憶メモリ２ｂから、それぞれ画面Ａ映像データ，画面Ｂ映像データが読み出されて、画面Ａ，画面Ｂの映像出力信号７ａ，７ｂが生成され、プロジェクタのドライブ回路に与えて映像表示がなされる表示方法であって、
　Ｒ：(1)画面Ａ映像記憶メモリ２ａ用と画面Ｂ映像記憶メモリ２ｂ用の表示タイミング信号を生成し、
　(2)それぞれ用の表示タイミング信号に基づいて、画面Ａ映像記憶メモリ２ａから画面Ａ映像データを読み出すと共に、画面Ｂ映像記憶メモリ２ｂから画面Ｂ映像データを読み出す表示タイミング制御を行って、
重ね合わせ部分に対応する画面Ａ映像データと画面Ｂ映像データ
表示と無表示とを交互に繰り返す状態で出力
　(3)画面Ａ映像データと画面Ｂ映像データとのそれぞれの表示映像が重なる部分（Ｔ０期間内）において、画面Ａ映像データと画面Ｂ映像データとが互いにフィールド毎に表示と無表示とを交互に繰り返すように表示出力され、
　ｒ：Ｒ(2)(3)の具体的態様は、
　ｒ(i)最初の映像表示周期（フィールド）では、
　ｒ(i-2)画面Ａ映像データは、画面Ａ映像記憶メモリ２ａからの（表示タイミング信号に基づく）読み出しにより、
重ね合わせ部分Ｔ０に対応する画面データ部分を表示状態
輝度レベルが非反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を無表示状態
輝度レベルが反転状態
　（重ね合わせ部分Ｔ０に対応する画面データ部分を含んだ画面Ａ映像データが記憶されている）
画面Ａ映像記憶メモリ２ａからは
　『
重ね合わせ部分Ｔ０
を含んだ画面Ａ映像データ
　（同じく、重ね合わせ部分Ｔ０に対応する画面データ部分を含んだ画面Ｂ映像データが記憶されている）
画面Ｂ映像記憶メモリ２ｂからは
　『
重ね合わせ部分Ｔ０
を読み出さず切り捨て
重ね合わせ部分Ｔ０
を含まない画面Ｂ映像データのみを読み出し・切り出して
抽出して
出力し
　ｒ(i-3)
重ね合わせ部分Ｔ０を含む画面Ａ
重ね合わせ部分Ｔ０を含まない画面Ｂ
　ｒ(ii)次の映像表示周期（フィールド）では、
　ｒ(ii-2)画面Ａ映像データは、画面Ａ映像記憶メモリ２ａからの（表示タイミング信号に基づく）読み出しにより、
重ね合わせ部分Ｔ０に対応する画面データ部分を無表示状態
輝度レベルが反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を表示状態
輝度レベルが非反転状態
　画面Ａ映像データが記憶されている
画面Ａ映像記憶メモリ２ａからは
　『
重ね合わせ部分Ｔ０
を読み出さず切り捨て
重ね合わせ部分Ｔ０
を含まない画面Ａ映像データのみを読み出し・切り出して
抽出して
出力する
　画面Ｂ映像データが記憶されている
画面Ｂ映像記憶メモリ２ｂからは
　『
重ね合わせ部分Ｔ０
を含んだ画面Ｂ映像データ
　ｒ(ii-3)
重ね合わせ部分Ｔ０を含まない画面Ａ
重ね合わせ部分Ｔ０を含む画面Ｂ
　これらｒ(i)ｒ(ii)を繰り返すようにして、
　映像を表示する方法。
　
［４］補正後発明と引用発明との対比（対応関係）  
　
　（１）要件Ａについて
　Ａ：「第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、」「を有することを特徴とする画像表示方法。」
　
　ア　前半（「第１の画像投射手段にて・・・状態にあって、」）
　引用発明のＱの「「プロジェクタ１２」、「プロジェクタ１３」は、それぞれ、要件Ａでいう「第１の画像投射手段」、「前記第１の画像投射手段とは異なる第２の画像投射手段」といい得るものであり、
　引用発明のＱの「プロジェクタ１２により投射される表示エリア（映像画面Ａ（図７））」、「プロジェクタ１３により投射される表示エリア（映像画面Ｂ（図７））」は、それぞれ、要件Ａでいう「第１の画像投射手段にて表示が可能な第１の投射表示領域」、「第２の画像投射手段にて表示が可能な第２の投射表示領域」といい得るものである。
　引用発明のＱの「１つのスクリーン１１上に、プロジェクタ１２により投射される表示エリア（映像画面Ａ（図７）と、プロジェクタ１３により投射される表示エリア（映像画面Ｂ（図７）が、隣接部分で重ね合わせ部分Ｔ０が存在するように左右に配置され、」における「重ね合わせ部分Ｔ０」は、
　要件Ａの「第１の画像投射手段にて表示が可能な第１の投射表示領域の一部と、前記第１の画像投射手段とは異なる第２の画像投射手段にて表示が可能な第２の投射表示領域の一部とにより重複する重複領域」といい得るものである。
　したがって、要件Ａの前半「第１の画像投射手段にて・・・状態にあって」は、引用発明と相違しない。
　
　イ　後半（「前記第１の画像投射手段によって・・・画像表示方法であって、」「を有することを特徴とする画像表示方法。」）
　引用発明のＱの「
画面Ａ映像データ
画面Ｂ映像データ
　その「「
画面Ａ映像データ
画面Ｂ映像データ
　それぞれ、「第１の部分画像」、「第２の部分画像」といい得るものである。
　そして、Ｑ「画面Ａ映像記憶メモリ２ａ、画面Ｂ映像記憶メモリ２ｂから、それぞれ画面Ａ映像データ，画面Ｂ映像データが読み出されて、画面Ａ，画面Ｂの映像出力信号７ａ，７ｂが生成され、プロジェクタのドライブ回路に与えて映像表示がなされる」とされているのであるから、
　「画面Ａ映像記憶メモリ２ａ、画面Ｂ映像記憶メモリ２ｂから」それぞれ「読み出された画面Ａ映像データ、画面Ｂ映像データ」（の画像）も、
　・それぞれ、「第１の部分画像」、「第２の部分画像」ということができ、
　・それぞれ、「プロジェクタ１２」・「プロジェクタ１３」によって、それぞれの表示エリア（映像画面Ａ（図７））・（映像画面Ｂ（図７））に表示するものである。
　したがって、引用発明も「前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、」「を有することを特徴とする画像表示方法。」（要件Ａの後半）といい得るものである。
　
　ウ　以上によれば、要件Ａにおいて、補正後発明と引用発明は相違しない。
　
　（２）要件Ｂ・Ｃについて
　Ｂ：前記画像を表示する際に前記重複領域には
予め画像補正された
予め画像補正された
　Ｃ：前記マスクデータによって前記重複領域の画像の少なくとも一部をマスキングすることにより、前記第１の部分画像及び前記第２の部分画像を生成する画像データマスキング処理ステップと、
　
　ア　要件Ｂで、「第１及び第２の部分画像」が「
予め画像補正された
　
　イ　要件Ｂの前半「前記画像を表示する際に前記重複領域には（
予め画像補正された
　
　〈いずれかの部分画像のみが表示されるように〉
　引用発明が「画像を表示する際」の処理等は、引用発明のＲ、ｒであり、　Ｒで、「(1)画面Ａ映像記憶メモリ２ａ用と画面Ｂ映像記憶メモリ２ｂ用の表示タイミング信号を生成し、
　(2)それぞれ用の表示タイミング信号に基づいて、画面Ａ映像記憶メモリ２ａから画面Ａ映像データを読み出すと共に、画面Ｂ映像記憶メモリ２ｂから画面Ｂ映像データを読み出す表示タイミング制御を行って、
重ね合わせ部分に対応する画面Ａ映像データと画面Ｂ映像データ
表示と無表示とを交互に繰り返す状態で出力
　(3)画面Ａ映像データと画面Ｂ映像データとのそれぞれの表示映像が重なる部分（Ｔ０期間内）において、画面Ａ映像データと画面Ｂ映像データとが互いにフィールド毎に表示と無表示とを交互に繰り返すように表示出力され、」る。
　そして、そのＲ(2)(3)の具体的態様は、引用発明のｒ｛ｒ(i)、ｒ(ii)｝であり、補正後発明の「重複領域」といい得る「
重ね合わせ部分Ｔ０
　「ｒ(i)最初の映像表示周期（フィールド）では、
　ｒ(i-2)画面Ａ映像データは、画面Ａ映像記憶メモリ２ａからの（表示タイミング信号に基づく）読み出しにより、
重ね合わせ部分Ｔ０に対応する画面データ部分を表示状態
輝度レベルが非反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を無表示状態
輝度レベルが反転状態
　（重ね合わせ部分Ｔ０に対応する画面データ部分を含んだ画面Ａ映像データが記憶されている）
画面Ａ映像記憶メモリ２ａからは
　『
重ね合わせ部分Ｔ０
を含んだ画面Ａ映像データ
　（同じく、重ね合わせ部分Ｔ０に対応する画面データ部分を含んだ画面Ｂ映像データが記憶されている）
画面Ｂ映像記憶メモリ２ｂからは
　『
重ね合わせ部分Ｔ０
を読み出さず切り捨て
重ね合わせ部分Ｔ０
を含まない画面Ｂ映像データのみを読み出し・切り出して
抽出して
出力し
　ｒ(i-3)
重ね合わせ部分Ｔ０を含む画面Ａ
重ね合わせ部分Ｔ０を含まない画面Ｂ
　ｒ(ii)次の映像表示周期（フィールド）では、
　ｒ(ii-2)画面Ａ映像データは、画面Ａ映像記憶メモリ２ａからの（表示タイミング信号に基づく）読み出しにより、
重ね合わせ部分Ｔ０に対応する画面データ部分を無表示状態
輝度レベルが反転状態
　他方、画面Ｂ映像データは、画面Ｂ映像記憶メモリ２Ｂからの（表示タイミング信号に基づく）読み出しにより、
重ね合わせ部分Ｔ０に対応する画面データ部分を表示状態
輝度レベルが非反転状態
　画面Ａ映像データが記憶されている
画面Ａ映像記憶メモリ２ａからは
　『
重ね合わせ部分Ｔ０
を読み出さず切り捨て
重ね合わせ部分Ｔ０
を含まない画面Ａ映像データのみを読み出し・切り出して
抽出して
出力する
　画面Ｂ映像データが記憶されている
画面Ｂ映像記憶メモリ２ｂからは
　『
重ね合わせ部分Ｔ０
を含んだ画面Ｂ映像データ
　ｒ(ii-3)
重ね合わせ部分Ｔ０を含まない画面Ａ
重ね合わせ部分Ｔ０を含む画面Ｂ
　これらｒ(i)ｒ(ii)を繰り返すようにして、
　映像を表示する」
　のであるから、いずれの映像表示周期（フィールド）においても、「重複領域には前記第１及び第２の部分画像のうちいずれかの部分画像のみが表示されるように」なっており、この点、補正後発明と相違はない｛（
予め画像補正された
　
　〈所定のタイミングで変化するように〉
　また、引用発明でも、「前記重複領域に表示される前記第１の部分画像と前記第２の部分画像との境界である分割位置」は、
　ｒ(i)最初の映像表示周期（フィールド）では、
　重ね合わせ部分Ｔ０の右側（図３のＡ１とＢ１の境界）であり、
　ｒ(ii)次の映像表示周期（フィールド）では、
　重ね合わせ部分Ｔ０の左側（図３のＡ２とＢ２の境界）であって、
　映像周期（フィールド）毎に変化しているから、
　「所定のタイミングで変化するように」なっており、この点においても、補正後発明と相違はない。
　
　以上によれば、引用発明も、要件Ｂの前半「前記画像を表示する際に前記重複領域には」「前記第１及び第２の部分画像のうちいずれかの部分画像のみが表示されるように分割位置が所定のタイミングで変化するように、」なっていて、補正後発明と相違しない。｛（
予め画像補正された
　
　ウ　要件Ｂの後半
　「前記重複領域の画像の少なくとも一部をマスキングするマスクデータを生成するマスクデータ生成ステップと、」と、
　要件Ｃ「前記マスクデータによって前記重複領域の画像の少なくとも一部をマスキングすることにより、前記第１の部分画像及び前記第２の部分画像を生成する画像データマスキング処理ステップ」
　
　要件Ｃの「前記マスクデータ」とは、要件Ｂの後半の「マスクデータ生成ステップ」で生成した「マスクデータ」であること、
　要件Ｂの「画像データマスキング処理ステップ」は、「前記第１の部分画像及び前記第２の部分画像を生成する」処理ステップとも言えること、
　そして、ＢとＣによって、〔要件Ｂの前半〕となるように「前記第１の部分画像及び前記第２の部分画像を生成」している、といえること、
　を考慮すれば、上記要件Ｂと要件Ｃは、合わせて、
　『〔要件Ｂの前半〕となるように、第１の部分画像及び前記第２の部分画像を生成するステップ』であって、
　そのステップが、
　「前記重複領域の画像の少なくとも一部をマスキングするマスクデータを生成するマスクデータ生成ステップ」と
　要件Ｃ「前記マスクデータによって前記重複領域の画像の少なくとも一部をマスキングすることにより、前記第１の部分画像及び前記第２の部分画像を生成する画像データマスキング処理ステップ」であるもの、
　といい得るものである。
　
　引用発明についてみれば、
　
引用発明のＲ(2)
読み出す
映像データを読み出
重ね合わせ部分に対応する画面Ａ映像データと画面Ｂ映像データを
表示と無表示とを交互に繰り返す状態で出力
　これに対応する具体的処理である
引用発明のr(i-2)r(ii-2)
　すなわち、(i)最初の映像表示周期（フィールド）及び(ii)次の映像表示周期（フィールド）における、
  「画面Ａ映像記憶メモリ２ａから」「画面Ａ映像データ」を読み出して出力する」処理、「画面Ｂ映像記憶メモリ２ｂから」「画面Ｂ映像データ」を読み出して出力する処理は、
　読み出して出力することによって、読み出した「画面Ａ映像データ」の画像（補正後発明でいう「第１の部分画像」）、読み出した「画面Ｂ映像データ」の画像（補正後発明でいう「第２の部分画像」）を
生成する処理
　従って、引用発明も、『〔要件Ｂの前半〕となるように、
第１の部分画像及び前記第２の部分画像を生成するステップ
　
　もっとも、補正後発明では、
　『〔要件Ｂの前半〕となるように、
第１の部分画像及び前記第２の部分画像を生成するステップ
　「前記重複領域の画像の少なくとも一部をマスキングするマスクデータを生成するマスクデータ生成ステップ」と
　要件Ｃ「前記マスクデータによって前記重複領域の画像の少なくとも一部をマスキングすることにより、前記第１の部分画像及び前記第２の部分画像を生成する画像データマスキング処理ステップ」であるとするのに対して、
　引用発明では、そのような処理ステップではなく、この点、相異が認められる。
　引用発明では、『〔要件Ｂの前半〕となるように
、第１の部分画像及び前記第２の部分画像を生成するステップ
　Ｒ(1)「画面Ａ映像記憶メモリ２ａ用と画面Ｂ映像記憶メモリ２ｂ用の表示タイミング信号を生成」するステップと、
　Ｒ(2)「それぞれ用の表示タイミング信号に基づいて、画面Ａ映像記憶メモリ２ａから画面Ａ映像データを読み出すと共に、画面Ｂ映像記憶メモリ２ｂから画面Ｂ映像データを読み出す表示タイミング制御を行って、
重ね合わせ部分に対応する画面Ａ映像データと画面Ｂ映像データ
表示と無表示とを交互に繰り返す状態で出力
　読み出した「画面Ａ映像データ」の画像（「第１の部分画像」）、読み出した「画面Ｂ映像データ」の画像（「第２の部分画像」）を生成するステップであって、具体的には、ｒ(i-2)ｒ(ii-2)のようにするステップである。
　
　エ　「
予め画像補正された
　引用発明では、画面Ａ映像記憶メモリ２ａ、２ｂから読み出した画面Ａ映像データ、画面Ｂ映像データ（補正後発明の「第１及び第２の部分画像」）は、いずれも「
予め画像補正された
　
　オ　まとめ（Ｂ・Ｃ）
　以上によれば、
　補正後発明と引用発明とは、
　Ｂ’：前記画像を表示する際に前記重複領域には
前記第１及び第２の部分画像
前記第１の部分画像と前記第２の部分画像
　
前記第１の部分画像及び前記第２の部分画像を生成するステップ
　
　『
前記第１の部分画像及び前記第２の部分画像を生成するステップ
　補正後発明では、
Ｂ〔後半〕：「前記重複領域の画像の少なくとも一部をマスキングするマスクデータを生成するマスクデータ生成ステップ」と、
Ｃ：「前記マスクデータによって前記重複領域の画像の少なくとも一部をマスキングすることにより、」（前記第１の部分画像及び前記第２の部分画像を）「生成する画像データマスキング処理ステップ」
　とするのに対して、
　引用発明では、そのような処理ステップではなく、
　上記のように、Ｒ(1)(2)、ｒ(i-2)ｒ(ii-2)とする点で相違する。
　
　また、「
前記第１及び第２の部分画像
前記第１の部分画像と前記第２の部分画像
　補正後発明では、
　「
予め画像補正された
　引用発明では、「
予め画像補正された
　
（４）要件Ｄ：「前記データマスキング処理ステップによって生成された前記第１の部分画像及び前記第２の部分画像を表示する画像表示ステップと、」
　
　引用発明もＲ、ｒ｛特にＲ(3)，r(i-3)r(ii-3)｝とするもので、「前記第１の部分画像及び前記第２の部分画像を表示する画像表示ステップ」を備えているといい得ることは、これまでに検討したことから明らかであるが、
　その生成は、上記のとおり、Ｒ(1)(2)、ｒ(i-2)ｒ(ii-2)によるものであって、「前記データマスキング処理ステップ」によるものではない。
　表示する「
前記第１の部分画像及び前記第２の部分画像
　補正後発明では、「前記データマスキング処理ステップによって生成された」とするのに対して、
　引用発明では、「前記データマスキング処理ステッによって生成された」ではなく、Ｒ(1)(2)、ｒ(i-2)ｒ(ii-2)によって生成されたものである点で相違する。
　
［５］一致点、相違点  
　
　以上の対比結果によれば、補正後発明と引用発明とは、
 　 
　［一致点］ 
　Ａ：第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　Ｂ’：前記画像を表示する際に前記重複領域には
前記第１及び第２の部分画像
前記第１の部分画像と前記第２の部分画像
　
前記第１の部分画像及び前記第２の部分画像を生成するステップ
　Ｄ’：
前記第１の部分画像及び前記第２の部分画像を表示する画像表示ステップ
　Ａ：を有することを特徴とする画像表示方法。
　
　である点で一致し、
　
　［相違点］
　
　［相違点１］
　Ｂ’の『前記画像を表示する際に・・・分割位置が所定のタイミングで変化するように、
　
前記第１の部分画像及び前記第２の部分画像を生成するステップ
　補正後発明では、
　Ｂ”「前記重複領域の画像の少なくとも一部をマスキングするマスクデータを生成するマスクデータ生成ステップと、」
　Ｃ「前記マスクデータによって前記重複領域の画像の少なくとも一部をマスキングすることにより、」（前記第１の部分画像及び前記第２の部分画像を）「生成する画像データマスキング処理ステップ」
　とするのに対して、
　引用発明では、
　そのような処理ステップではなく、Ｒ(1)(2)、ｒ(i-2)ｒ(ii-2)とし、
　
　Ｄ’の表示する「
前記第１の部分画像及び前記第２の部分画像
　補正後発明では、
　「前記データマスキング処理ステップによって生成された」とするのに対して、
　引用発明では、
　「前記データマスキング処理ステップによって生成された」ではなく、
　Ｒ(1)(2)、ｒ(i-2)ｒ(ii-2)によって生成されたものである点、
　
　［相違点２］
　Ｂ’の「
前記第１及び第２の部分画像
前記第１の部分画像と前記第２の部分画像
　補正後発明では、
　「
予め画像補正された
　引用発明では、「
予め画像補正された
　
　で相違する。
　　
［６］相違点等の判断（容易想到性の判断）  
 　 
（１）相違点の克服  
　
　［相違点１の克服］　
　引用発明の『前記画像を表示する際に・・・分割位置が所定のタイミングで変化するように、
　
前記第１の部分画像及び前記第２の部分画像を生成するステップ
　Ｂ”「前記重複領域の画像の少なくとも一部をマスキングするマスクデータを生成するマスクデータ生成ステップと、」
　Ｃ「前記マスクデータによって前記重複領域の画像の少なくとも一部をマスキングすることにより、」「生成する画像データマスキング処理ステップ」（以下、これらを合わせて「
相違点１に係る構成
　とすれば、
　これに伴い、Ｄ’の表示する「
前記第１の部分画像及び前記第２の部分画像
　上記［相違点１］は克服される。
　
　［相違点２の克服］　
　Ｂ’の『
前記第１及び第２の部分画像
前記第１の部分画像及び前記第２の部分画像
予め画像補正された
相違点２に係る構成
　ことで、上記［相違点２］も克服され、
　補正後発明に至る。
　
（２）相違点についての判断（［相違点の克服］の容易想到性）  
　
　ア　相違点１についての判断（［相違点１の克服］の容易想到性）
　『
前記第１の部分画像及び前記第２の部分画像を生成するステップ
　要せば、『重複部分（重複画像領域）を含む２つのメモリに記憶された入力画像（画面Ａ映像データ、画面Ｂ映像データ）から、その重複領域部分を表示しないようにするためにする処理であって、非重複領域部分のみを交互に
切り出す
抽出する
　引用発明では、かかる画像の“
切り出し
抽出
　
　〈周知技術〉
　一般に、『画像の一部を表示しないようにするために、画像に対して表示しない当該一部を切り捨て（抽出せず）、表示する当該一部以外の部分だけを切り出す（抽出する）処理として、
　対象画像に対して、画像の一部をマスキングするマスクデータによって当該一部をマスキングする処理』
　は、技術常識ともいうべきごく一般的で周知の処理手法にすぎない｛例えば、周知例１〜５参照｝。
　
　〈容易想到性判断〉
　上記周知技術に鑑みれば、引用発明に接した当業者が、
  『
前記第１の部分画像及び前記第２の部分画像を生成するステップ
切り出す
抽出する
　「メモリの読み出し制御」処理に代えて、上記周知技術である「マスキングする処理」を採用しようとすることは、ごく容易に想起し得ることということができる。
　そして、そのように「マスキングする処理」で代替する際、
　引用発明の、
　・２つのメモリに記憶された入力画像（画面Ａ映像データ、画面Ｂ映像データ）が上記周知技術の「対象画像」に、
　・２つのメモリに記憶された入力画像それぞれにおける『重複部分（重複画像領域）』が上記周知技術の「画像の一部」に該当するから、
　「マスキングする処理」では、
　２つのメモリに記憶された入力画像（画面Ａ映像データ、画面Ｂ映像データ、対象画像）に対して、『重複部分（重複画像領域）』（画像の一部）を交互にマスキングするマスクデータによって当該『重複部分（重複画像領域）』をマスキングすることになるから、
　画面Ａ映像データ用、及び画面Ｂ映像データ用に用意するマスクデータを、映像周期（フィールド）毎に変化させること｛このこと自体にもごく普通のことである（例えば、先の参照）。｝が必要であることは明らかであり、したがって、そのように変化させることとなる。
　したがって、『
前記第１の部分画像及び前記第２の部分画像を生成するステップ
　引用発明の、当該『
前記第１の部分画像及び前記第２の部分画像を生成するステップ
　「前記重複領域の画像（の少なくとも一部）をマスキングするマスクデータを」、映像周期毎に変化させる処理ステップと、
　「前記マスクデータによって前記重複領域の画像（の少なくとも一部）をマスキングすることにより、」（前記第１の部分画像及び前記第２の部分画像を）生成する処理ステップとなる。
　これらのステップは、つまり、上記「相違点１に係る構成」である、
　Ｂ”「前記重複領域の画像の少なくとも一部をマスキングするマスクデータを生成するマスクデータ生成ステップと、」
　Ｃ「前記マスクデータによって前記重複領域の画像の少なくとも一部をマスキングすることにより、」（前記第１の部分画像及び前記第２の部分画像を）「生成する画像データマスキング処理ステップ」
　といい得るステップである。
　
　以上によれば、［相違点１の克服］は、周知技術に基づいて当業者が容易に想到し得ることである。
　
　イ　相違点２についての判断（［相違点２の克服］の容易想到性）
　引用発明を出発し上記［相違点１の克服］をしたもの、すなわち、
　Ａ：第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　Ｂ’：前記画像を表示する際に前記重複領域には前記第１及び第２の部分画像のうちいずれかの部分画像のみが表示されるように、且つ前記重複領域に表示される前記第１の部分画像と前記第２の部分画像との境界である分割位置が所定のタイミングで変化するように、
　Ｂ”：前記重複領域の画像の少なくとも一部をマスキングするマスクデータを生成するマスクデータ生成ステップと、
　（「前記重複領域の画像をマスキングするマスクデータを、映像周期毎に変化させる処理ステップ」と｝
　Ｃ：前記マスクデータによって前記重複領域の画像の少なくとも一部をマスキングすることにより、前記第１の部分画像及び前記第２の部分画像を生成する画像データマスキング処理ステップと、
　Ｄ：前記データマスキング処理ステップによって生成された前記第１の部分画像及び前記第２の部分画像を表示する画像表示ステップと、
　Ａ：を有することを特徴とする画像表示方法。
　としたものについて検討するに、
　
　このものから、上記［相違点２の克服］をして、補正後発明に至ることも、以下にみるとおり、当業者が容易に想到し得ることである。
　
　〈理由〉
　イ-０　上記「
相違点２に係る構成
　補正後発明が特定する「
予め画像補正された
予め画像補正された
　「画像補正」の内容の具体を特定するものではないし、第１の部分画像と第２の部分画像が別々に画像補正されることを要求するものでもなく、
　単に、前記第１の部分画像及び前記第２の部分画像が、共に「
既に画像補正されたもの
　
　イ-１　そこで、（相違点１を克服した）引用発明について検討するに、
　「入力映像データである
画面Ａ映像データ
画面Ｂ映像データ
画像補正
画面Ａ映像データ
画面Ｂ映像データ
　なぜなら、上記取得工程としては、一般に、受信し又は再生（記録媒体から読出し再生）する工程、又は撮像する工程（撮像後の記録再生含む）が想定され、上記「１つの映像画面を構成する映像データ」は、それらの工程により取得されたものと言えるところ、
　例えば、撮像処理においては、ホワイトバランス補正、ガンマ補正、輪郭強調補正、ノイズ除去補正等の画像補正をするのは常であるし、
　受信や再生（記録媒体から読出し再生）で想定される処理であるＭＰＥＧ復号では、例えば、ブロック歪み補正やモスキート補正等の画像補正することも常であるからである。
　
　以上のことから、引用発明を出発し上記［相違点１の克服］をしたものにおいて、「入力映像データである
画面Ａ映像データ
画面Ｂ映像データ
画像補正されたもの
　
　イ-２　一般に、投射による映像表示ではスクリーン上に投射表示される映像の形状が（映像信号本来の正規の長方形形状から）略台形状に歪むものであり、投射による映像表示を行う場合、この歪み補正するために、“あおり補正”等の幾何学的補正を施すのが常であることから、
　投射による映像表示を行う（相違点１を克服した）引用発明においても、「画像補正」といい得る“あおり補正”等の幾何学的補正を導入することはごく普通のことであるといい得るところ、
　当該“あおり補正”等の幾何学的補正を導入する際、上記Ｂ’Ｂ”Ｃの画像データのマスキングの前で補正するか、後で補正するかについて検討するに、
　分割画像を隣接部分で連結して
連続性が保たれた１枚の画像
　それら分割画像が正規の長方形状であることを前提に行う処理であることから、同幾何学的補正により正規の長方形状にした後に行うのが自然というべきであり、また、幾何学的補正後にそのような連結処理を行うことも普通である｛例えば、下記周知例６〜９参照｝ことからすれば、
　“あおり補正”等の幾何学的補正を、上記Ｂ’Ｂ”Ｃの画像データのマスキングの前で行うことは、当業者が容易に想到し得ることである、ということができる。
　そして、そのように行うこととすれば、Ｂ’の『
前記第１及び第２の部分画像
前記第１の部分画像及び前記第２の部分画像
予め画像補正された
　
　イ-３　投射による映像表示において、投射すべき映像（画像）に対して、上記幾何学的補正以外にも、種々の画像補正を施すのが普通である（特に、（相違点１を克服した）引用発明のような、多数の投射デバイスを用いるものにおいては、それらのばらつきをなくすための画像補正も普通である。）ことから、
　投射による映像表示を行う（相違点１を克服した）引用発明においても、投射すべき映像｛画面Ａ映像データ、画面Ｂ映像データに対応する映像｝に、上記幾何学的補正以外の画像補正を施することもごく普通のことであるといい得るものである。
　そして、かかる補正を、上記（Ｂ’Ｂ”Ｃ）の、画像データのマスキング処理の前でするか、後でするかについて検討するに、
　マスキングの後ですることもあり得るものであるが、その前で（画面Ａ映像データ、画面Ｂ映像データに対応する元映像に対して）することも普通に想定し得るものというべきである。
　これについては、例えば、下記周知例１０、周知例１１等が参照され、周知例１０では、図１に、ノイズ除去やエッジ強調するデコード部５の後に周囲に黒信号を生成するＤＳＰ８が示されている。周知例１１では、図４０（図２０）において、ばらつきを除去する「色変換部１２」の後に「マスク処理部１１ｃ」が示されている。
　この点から見ても、上記［相違点２の克服］は、当業者が容易に想到し得ることというべきである。
　
　　　　　　　　　記（周知例）
　周知例１：特開平４−１５７９９２号公報
　｛特に、第４図〜第６図，請求項２，８頁左上欄１４行〜同頁左下欄４行，１０頁右上欄１２行〜１１頁左下欄１９行）｝
　周知例２：特開平５−１１２３８号公報
　｛特に、図３，請求項２，段落【0006】〜【0007】｝
　周知例３：特開平９−６５２３５号公報
　｛特に、図６，段落【0036】，【0046】｝
　周知例４：特開平１０−１０８１０８号公報
　｛特に、図６，図７，段落【0022】〜【0031】｝
　周知例５：特開平５−３２８２１４号公報
　｛図１，図２，段落【0015】〜【0020】｝
　
　周知例６：特開２００１−１７７７８７号公報
　｛特に、図１，図３，段落【0046】〜【0049】，【0074】。「補間フィルタ部２１」で幾何学的補正が、「補間データ切換部２２」で連結処理（マスキング処理）が行われる。｝
　周知例７：特開平１０−１３７７０号公報
　｛特に、図３〜図４，段落【0010】〜【0015】で幾何学的補正が、【0016】で連結処理（マスキング処理）が行われる。｝
　周知例８：特開２００２−２１５１１４号公報
　｛特に、図６，段落【0038】〜【0039】，【0052】。「補間フィルタ部４１」で幾何学的補正が、「補間データ切換部４３」で連結処理（マスキング処理）が行われる。｝
　周知例９：特開平９−３２６９８１号公報
　｛特に、図２〜図６，段落【0022】，【0026】「・・予め図２（ｂ）に示されるようにあおりを補正した画像を生成出力する・・・」，【0027】〜【0029】，【0034】〜【0036】、「補間部１０」で幾何学的補正が、「係数設定部１１」で連結処理が行われる。｝
　
　周知例１０：特開平１１−１４６３０７号公報
　｛特に、図１，図２，段落【0014】，【0016】〜【0017】｝
　周知例１１：特開２００１−１４７４８６号公報
　｛特に、図４０（第４変形例【0203】）（図２０），図１９，図２９、請求項１「オーバーラップする領域において、映像の連続性を保つように・・・映像信号を電気的に補正する手段」，段落【0093】〜【0095】，【0101】〜【0102】色変換部１２「ばらつきを除去」，【0134】「装置毎の各種補正データ」，【0155】〜【0156】「マスク処理部１１ｃ」「シームレス処理」、【0203】｝
　
　〈請求人の主張について〉
　相違点２につき、請求人は、
　補正後発明は、「
予め画像補正された
　かかる技術的効果（補正処理をすくなくすること）を目的として「マスクデータの生成に先立って画像補正を行なう」ということは困難である旨、
　主張している。
　
　しかしながら、上記請求人の主張は、補正後請求項１の記載に基づかない主張であって、採用できない。
　すなわち、上記請求人の主張する効果は、動画像をそのフレームレートより大きいレートで表示を行う場合、つまり、入力される動画像１枚当たり２回以上表示する場合において奏する効果であるところ、
　補正後請求項１は、そのように表示することを特定しておらず、したがって、補正後請求項１記載の発明は、動画像をそのフレームレートと同じレートで表示するもの（入力される動画像１枚当たり１回表示するもの）を含むものであるから、上記効果は、補正後請求項１記載の発明に特有の効果とはいえない。
　このことは、本願明細書の段落【0081】には、「この実施形態２においては、処理負荷の大きい画像補正処理（画像補正手段７が行う画像補正処理）は必要最小限の回数（上述の例ではそれぞれの最大表示分割画像３０１max，３０２max，３０３max，３０４maxに対して１回）のみで済み、各表示タイミングにおいては、単純な２値データであるマスクデータの生成と、また、単純な論理積の処理のみが行われる。つまり、実施形態１の場合よりも補正処理を少なくすることができ、しかも、実施形態１と同等の効果を得ることができる。」に続いて、「ただし、この処理は、動画像をそのフレームレートで表示を行う場合においては、実施形態１と同等である。」と記載していることからも明らかである。
　そして、「
予め画像補正された
　
　（３）まとめ｛相違点等の判断（容易想到性の判断）｝
　以上のとおりであるから、補正後発明は、上記刊行物１に記載された発明及び技術常識・周知事項に基づいて、当業者が容易に発明をすることができたものである。
　
［７］まとめ（理由：独立特許要件不適合）
　以上によれば、補正後の請求項１に係る発明は、上記刊行物１に記載された発明及び技術常識・周知事項に基づいて、当業者が容易に発明をすることができたものであるから、特許法第２９条第２項の規定により特許出願の際独立して特許を受けることができない。
　
【第３】査定の当否　 
　
［１］本願発明　 
　平成２１年５月２０日付けの手続補正は上記のとおり却下する。 
　本願の請求項１〜８に係る各発明は、本願明細書及び図面（平成１９年　１月１６日付けの手続補正書、平成２１年２月６日付け手続補正書により補正された明細書及び図面）の記載からみて、それぞれ、その特許請求の範囲の請求項１〜８に記載した事項により特定されるとおりのものと認められるところ、
　その請求項１に係る発明（以下、「本願発明」という。）は下記の通りである。
 　 
　　　　　　記（本願発明（請求項１））
　第１の画像投射手段にて表示が可能な第１の投射表示領域の一部と、前記第１の画像投射手段とは異なる第２の画像投射手段にて表示が可能な第２の投射表示領域の一部とにより重複する重複領域を有する状態にあって、
　前記第１の画像投射手段によって前記第１の投射表示領域に第１の部分画像を表示し、前記第２の画像投射手段によって前記第２の投射表示領域に第２の部分画像を表示することにより画像を表示する際の画像表示方法であって、
　前記画像を表示する際に前記重複領域には前記第１及び第２の部分画像のうちいずれかの部分画像のみが表示されるように、且つ前記重複領域に表示される前記第１の部分画像と前記第２の部分画像との境界である分割位置が所定のタイミングで変化するように、前記重複領域の画像の少なくとも一部をマスキングするマスクデータを生成するマスクデータ生成ステップと、
　前記マスクデータによって前記重複領域の画像の少なくとも一部をマスキングすることにより、前記第１の部分画像及び前記第２の部分画像を生成する画像データマスキング処理ステップと、
　前記データマスキング処理ステップによって生成された前記第１の部分画像及び前記第２の部分画像を表示する画像表示ステップと、
　を有することを特徴とする画像表示方法。
　
［２］引用刊行物の記載、引用発明、対比
　原査定の拒絶の理由に、引用文献１として引用された刊行物である特開２００３−００５７３７号公報（刊行物１）には、前記「【第２-４】［３］」で認定したとおりの引用発明が認められ、
　本願発明と引用発明との対応については、前記「【第２-４】［４］補正後発明と引用発明との対応」を援用する。
　
［３］一致点、相違点
　本願発明は、前記補正後発明における「
予め画像補正された
予め画像補正された
予め画像補正された
　したがって、本願発明と引用発明との一致点は、前記「【第２−４】［５］」で示した補正後発明と引用発明との一致点と同じであり、
　本願発明と引用発明との相違点は、前記「【第２−４】［５］」で示した補正後発明と引用発明との相違点１と同じ相違点があるだけであり、前記「【第２−４】［５］」で示した補正後発明と引用発明との相違点２の相違は存在しない。
　
［４］相違点等の判断（容易想到性の判断）
　前記【第２-４】［６］でした、補正後発明についての相違点についての判断（相違点２についての判断を除く）と同じである。
　
［５］まとめ（本願発明）
　本願発明は、上記刊行物１に記載された発明及び技術常識・周知事項に基づいて、当業者が容易に発明をすることができたものである。
　
【第４】むすび　 
　以上のとおりであるから、本願の請求項１に係る発明は、上記刊行物１に記載された発明及び技術常識・周知事項に基づいて、当業者が容易に発明をすることができたものであるから、特許法第２９条第２項の規定により特許を受けることができない。 
　したがって、本願の他の請求項について特に検討するまでもなく、本願は拒絶をすべきものである。 
　
　よって、結論のとおり審決する。